(57)【要約】【課題】本考案は、燃料能率増益体に関し、燃料タンク内に運用するために設けられ、この燃料能率増益体は、テフロン（登録商標）ケーシング、遠赤外線材及び磁石からなるものである。【解決手段】主に、テフロン（登録商標）ケーシング内に遠赤外線及び磁石を結合して収容するために密閉性収容槽が備えられ、内容物と外部または燃料と直接接触することを回避して、さらに磁石の磁気力により燃料油分子を振動して活性化させると共に、遠赤外線を放射して燃料油分子の微細化を促することによって、燃料油分子が完全なる燃焼目的を達し得、さらにより好ましい燃焼効率が図れる。【選択図】  図２
0003120141.tif 000002
【実用新案登録請求の範囲】
【請求項１】
テフロン（登録商標）ケーシング、遠赤外線材及び磁石を備えた燃料能率増進体であって、前記テフロン（登録商標）ケーシングは、密閉性収納槽を有し、この密閉性収納層に遠赤外線材及び磁石が排列して設置されることによって、遠赤外線材及び磁石は外界または燃料との直接接触が避けられることを特徴とする。
【請求項２】
前記遠赤外線材は鉱石粉末構造であることを特徴とする請求項１に記載の燃料能率増進体。
【請求項３】
前記磁石は密閉性収納槽の両側に設けられていることを特徴とする請求項１に記載の燃料能率増進体。
【考案の詳細な説明】
【技術分野】
【０００１】
本考案は、燃料能率増益体に関し、燃料貯槽内の空間又はその外側に運用され、磁気力の振動により燃料油分子を活性化させることによって、燃料油分子が十分にかつ完全に引火して燃焼させ、より好ましい燃焼効率が図れる。
【背景技術】
【０００２】
科学技術の発達に従って、人類が資源を過度に使用することが日々酷くなりつつあるが、天然資源を延々に使用して枯渇してしまうものであるため、過度に消費の末、必ずエネルギーの危機になり、なお、さらになくなる虞もある。現に科学技術の発展が頗る早いでも、エネルギーの使用については、全面的に取り替えられる新しいエネルギーを効果的に発展するまでに至らない。従って、より慎重に使用して、エネルギーの節約などの方式に着手しなければならない。
【０００３】
図１に示すのは、従来のエコノマイザで、両中空の円弧形ケーシング（１１）を備え、ケーシング（１１）のその一側面には軸方向の凹溝（１２）が設けられる。さらに、各ケーシング（１１）の両端に、ウィング（１３）をそれぞれ設け、各ウィング（１３）上に穿孔（１３１）が形成され、締付具は両対向した穿孔（１３１）を貫通して前記両ケーシング（１１）を互いに締め付けさせることになる。それによって、ケーシング（１１）の両凹溝（１２）が油管を脱落しないように挟み、さらにケーシング（１１）が充填されたエネルギー流体を利用して、経過した燃料油分子を分解して活性化させることで、燃料油が十分に燃焼させて油の節約目的を達成し得る。
【０００４】
しかし、この従来のエコノマイザは、部品数が多い上、一つでも欠かせることができない。また、各車の種類の油管の寸法の大きさが一定でないため、使用者に取付け上の不便にもたらす。特に、この類のエコノマイザは略エンジン室内に取付けられているため、エンジン室の高温の影響においては、エコノマイザの能率が低減され消失するまでに至ることもある。
【考案の開示】
【考案が解決しようとする課題】
【０００５】
本考案は、主に燃料タンク内またはその外側に設置した燃料能率増益体を運用し、磁気力を利用して燃料油分子を振動してその活性化を促進させ、さらに遠赤外線を放射して燃料油分子の微細化を促進させることによって、燃料油が引火して燃焼された際に、完全なる燃焼を十分に行ってより好ましい使用効率を果たすことができる。
【０００６】
この燃料能率増益体は、テフロン（登録商標）ケーシング、遠赤外線材及び磁石からなり、前記テフロン（登録商標）ケーシング内には遠赤外線または磁石あるいは両物を同時に設置するための密閉性収納槽が備えられ、また、遠赤外線と磁石がこの収容槽内に当接して外界または燃料と直接に接触することが避けられる。テフロン（登録商標）ケーシングの長さは、使用位置、容量または面積の必要に応じて増減し、遠赤外線材または磁石の数量もテフロン（登録商標）ケーシングの長さの増減に従って増減することができる。
【考案を実施するための最良の形態】
【０００７】
本考案は、前記の目的を達成するために、採用される技術、手段及びその他の効果をより好ましい実施例を用いて、図面を合せて下記のように詳しく説明する。
【０００８】
まず、図２及び図３に示すように、図示のように、本考案の燃料能率増進体は、テフロン（登録商標）ケーシング（２１）、三つの遠赤外線材（２２）及び三つの磁石（２３）を含み、
【０００９】
このテフロン（登録商標）ケーシング（２１）（テフロン（登録商標）は、四ふっ化エチレン樹脂(polytetrafluoroethylene)またはパーフロロアルコキシ(Perfluoroalkoxy)）は、ロッド状体の部材で、かつテフロン（登録商標）ケーシング（２１）内部には密閉性収納槽（２１１）が備えられ、前記遠赤外線材（２２）がテフロン（登録商標）ケーシング（２１）の密閉性収納層（２１１）内に設置され、かつ磁石（２３）との間と互いに密に当接して排列する。またこの遠赤外線材（２２）は、遠赤外線を放射する鉱石を備えた構造を例とする。
【００１０】
前記三つの磁石（２３）はテフロン（登録商標）ケーシング（２１）の密閉性収納槽（２１１）内に設置され、かつテフロン（登録商標）ケーシング（２１）内遠赤外線材（２２）の間に密に当接して排列される。
【００１１】
本考案の実施方式及び効果を詳細に説明するため、図３及び図４を合せて参照されたい。図に示すように、本考案の燃料能率増進体（２）は、燃料タンクカバー（３１）の底部に設置し、かつこの燃料能率増進体（２）が燃料タンク（３）内に延伸される。燃料タンクカバー（３１）は燃料供給口（３２）をカバーする際、燃料能率増進体（２）の遠赤外線材（２２）が燃料タンク（３）内の燃料に対して遠赤外線波を照射して燃料分子の微細化を促す。同時に、磁石（２３）は、磁気力により燃料分子を振動してその活性化を増進させることによって、燃料分子が引火して燃焼された時、燃料分子が十分に完全燃焼の効果に達成でき、最適な使用効率を図り、燃料節約の目的を達成できると同時に、燃料分子の完全燃焼により、燃焼不全による汚染源を低減することができる。
【００１２】
図５を参照するように、本考案の第２実施例が提供する一種燃料能率増進体は、主に二つの磁石（２３）が密閉性収納槽（２１１）の両側に均等に設けられ、その間は遠赤外線材（２２）で、かつこの遠赤外線材は鉱石の粉末構造である。図６に示すように、さらに本考案の燃料能率増進体（２）を燃料タンク（３）内に設置し、遠赤外線材（２２）を利用してタンク内の燃料に対して遠赤外線波を照射することで、燃料分子の微細化を促すと共に、磁石（２３）は、その磁気力により燃料の活性化を増進させ、それによっても燃料分子が完全燃焼可能な目的及び効果を十分に達成できる。
【００１３】
本考案の燃料能率増進体（２）のテフロン（登録商標）ケーシング（２１）の表面は、四ふっ化エチレン樹脂またはパーフロロアルコキシを材質として利用し、より広い温度使用範囲（−１８０°乃至＋２６０°）、抗腐食性化学薬剤、絶縁インピダンスの特性、低熱膨張係数、不燃焼性、不導電性、低摩擦係数および優れた安定性の特性を特点とすることによって、本考案の燃料能率増進体（２）は燃料タンク内に設置しても燃料に腐食することなく、また他の材質に起因する潜在の危険が避けられるので、本考案の燃料能率増進体（２）には絶する適用性が備えられる。
【００１４】
他に、本考案の遠赤外線材は、鉱石顆粒構造、鉱石粉末構造、鉱石セラミック構造または鉱石負イオン構造とすることも可能で、また必要に応じて前記各材質を合せてなることも可能である。またテフロン（登録商標）ケーシングの長さも使用部位、容量、面積の必要に増減し、遠赤外線材と磁石の数量もテフロン（登録商標）ケーシングの長さの増減に従って増減することもできる。
【図面の簡単な説明】
【００１５】
【図１】従来のエコノマイザの立体図。
【図２】本考案の外観の参考図。
【図３】本考案の第一実施例の断面図。
【図４】本考案は、燃料タンクカバーに取付けた見取図。
【図５】本考案の第二実施例の断面見取図。
【図６】本考案は、燃料タンク内に取付けた見取図。
【符号の説明】
【００１６】
１１      ケーシング
１２    凹溝
１３    ウィング
１３１  穿孔
１４    締付具
２      燃料能率増進体
２１  テフロン（登録商標）ケーシング
２２１  収納槽
２２  遠赤外線材
２３  磁石
３      燃料タンク
３１  燃料タンクカバー
３２  供給口
【図１】
0003120141.tif 000003
【図２】
0003120141.tif 000004
【図３】
0003120141.tif 000005
【図４】
0003120141.tif 000006
【図５】
0003120141.tif 000007
【図６】
0003120141.tif 000008